(57)【要約】【課題】発光性と減光性を組み合わせて、視認性が高い表示を行うことが可能な観察光学系を提供する。【解決手段】本発明に係る観察光学系は、観察面と接眼光学系の間の観察面近傍に配置される第１の表示部材と、第１の表示部材と接眼光学系の間に配置されるビームスプリッタと、ビームスプリッタを介して配置される第２の表示部材と、を備え、第１の表示部材による像は、観察面から接眼光学系に観察光束を透過させることで非表示となり、観察面からの観察光束を拡散することで表示され、観察面上の第１の表示部材による像の近傍に、ビームスプリッタを介して、小さい表示形状の第２の表示部材の像が表示されるように構成される。【選択図】図１
2012068310.tif 000002
【特許請求の範囲】
【請求項１】
観察面に形成された像を観察するための観察光学系であって、
前記観察面に形成された像を観察するための接眼光学系と、
前記観察面と前記接眼光学系の間の前記観察面近傍に配置され、前記観察面からの観察光束の透過・遮光手段を有する第１の表示部材と、
前記第１の表示部材と前記接眼光学系の間に配置されるビームスプリッタと、
前記ビームスプリッタを介して配置される第２の表示部材と、を備え、
前記観察面上に表示される前記第１の表示部材による像は、前記透過・遮光手段が前記観察面から前記接眼光学系に前記観察光束を透過させることで非表示となり、前記透過・遮光手段が前記観察面からの観察光束を遮光することで表示され、
前記観察面上の前記第１の表示部材による像の近傍に、前記ビームスプリッタを介して前記第１の表示部材による像の表示形状より小さい表示形状の前記第２の表示部材の像が表示されるように構成されていることを特徴とする観察光学系。
【請求項２】
前記前記第１の表示部材の像による表示形状の中心付近位置に、前記第２の表示部材による像が表示され、前記第２の表示部材による像の表示寸法は前記第１の表示部材による像の表示寸法の１／４以下であることを特徴とする請求項１に記載の観察光学系。
【請求項３】
前記ビームスプリッタとアイポイントとの間に、前記接眼光学系を構成する接眼レンズの１部が配置されることを特徴とする請求項１または２に記載の観察光学系。
【請求項４】
前記第１の表示部材による像または前記第２の表示部材による像の少なくともいずれか一方は、オートフォーカスエリアを表示する像として用いられることを特徴とする請求項１〜３のいずれかに記載の観察光学系。
【請求項５】
前記第１の表示部材による像または前記第２の表示部材による像の少なくともいずれか一方は、測光エリアを表示する像として用いられることを特徴とする請求項１〜３のいずれかに記載の観察光学系。
【請求項６】
前記第１の表示部材による像または前記第２の表示部材による像の少なくともいずれか一方は、人物認識を表示する像として用いられることを特徴とする請求項１〜３のいずれかに記載の観察光学系。
【請求項７】
請求項１〜６項のいずれか一項に記載の観察光学系を備えた光学機器。
【発明の詳細な説明】
【技術分野】
【０００１】
本発明は、観察光学系の表示手段に関する。
【背景技術】
【０００２】
従来の観察光学系では、観察面近傍にマイクロプリズムと刻線を配置し、刻線によって選択範囲を示し、マイクロプリズムに照明光を与えて、照明光を眼側に反射させることにより、選択箇所を示すようにし、さらに反射領域を枠線で囲み、反射領域を反射させて選択箇所を表示していた（例えば、特許文献１を参照）。
【先行技術文献】
【特許文献】
【０００３】
【特許文献１】特開２００４−８５８４１号公報
【発明の概要】
【発明が解決しようとする課題】
【０００４】
前記表示方法ではマイクロプリズムが照明光で発光することにより、選択箇所表示において高い視認性を得ることが可能になる。しかし、反射領域と刻線は観察面近傍に固定されているため、選択範囲表示をしない場合も常に視野像上に反射領域と刻線の像が見えてしまい、観察像が見づらくなる問題があった。これは観察視野上で表示させたい箇所やその範囲が広がると顕著な問題になった。前記課題を改善するために観察面近傍に透過型液晶を配置して、拡散で観察光束を遮光して、観察像上に表示部材の像を表示し、非表示時は観察光束のみを透過させて、表示部材の像を完全に見えなくし、かつ、液晶内部に照明光を入れて表示部材の像を光らす方法も提案されている。しかし、前記提案では観察像が暗い場合、表示部材の像の視認性が悪く、照明光を導入して表示部材の像を照明しても照明光が液晶で散乱してしまい視認性の改善効果が小さかった。そこで、本発明は視認性の高い表示が可能な観察光学系を提供することを目的とする。
【課題を解決するための手段】
【０００５】
観察面に形成された像を観察するための観察光学系であって、観察面に形成された像を観察するための接眼光学系と、観察面と接眼光学系の間の観察面近傍に配置され、観察面からの観察光束の透過・遮光手段を有する第１の表示部材と、第１の表示部材と接眼光学系の間に配置されるビームスプリッタと、ビームスプリッタを介して配置される第２の表示部材と、を備え、観察面上に表示される第１の表示部材による像は、透過・遮光手段が観察面から接眼光学系に観察光束を透過させることで非表示となり、透過・遮光手段が観察面からの観察光束を遮光することで表示され、観察面上の第１の表示部材による像の近傍に、ビームスプリッタを介して第１の表示部材による像の表示形状より小さい表示形状の第２の表示部材の像が表示されるように構成される。
【０００６】
前記第１の表示部材の像による表示形状の中心付近位置に、第２の表示部材による像が表示され、第２の表示部材による像の表示寸法は第１の表示部材による像の表示寸法の１／４以下であることが好ましい。
【０００７】
ビームスプリッタとアイポイントとの間に、接眼光学系を構成する接眼レンズの１部が配置されることが好ましい。
【０００８】
第１の表示部材による像または第２の表示部材による像の少なくともいずれか一方は、オートフォーカスエリアを表示する像として用いられることが好ましい。
【０００９】
第１の表示部材による像または第２の表示部材による像の少なくともいずれか一方は、測光エリアを表示する像として用いられることが好ましい。
【００１０】
第１の表示部材による像または第２の表示部材による像の少なくともいずれか一方は、人物認識を表示する像として用いられることが好ましい。
【００１１】
これまで説明したような、第１の表示部材と、第２の表示部材による像を観察像に重ねて表示する観察光学系を光学機器に適用することが好ましい。
【発明の効果】
【００１２】
本発明によれば、視認性の高い表示が可能な観察光学系を提供することができる。
【図面の簡単な説明】
【００１３】
【図１】観察光学系の概略構成図である。
【図２】観察視野を示す１例である。
【図３】（ａ）は観察視野を示す他の例であり、（ｂ）は観察視野を示す別の例である。
【図４】観察光学系を一眼レフカメラに適用する概略構成図である。
【発明を実施するための形態】
【００１４】
以下、本願発明の好ましい実施形態について図を参照しながら説明する。本願発明に係る観察光学系２０を備えた一眼レフカメラ１が図４に示されている。この一眼レフカメラ１は、対物レンズ１１と、ミラー１２と、撮影用の撮像素子１３と、ビューファインダーである観察光学系２０とを備えて構成される。また、観察光学系２０は、物体側から順に光軸に沿って並んだ、焦点板２１（観察面２１）と、第１の表示部材３０と、ペンタプリズム２３と、ビームスプリッタ４０と、接眼レンズ２５とを有して構成され、対物レンズ１１によって焦点板２１（観察面２１）上に形成（結像）された像を接眼レンズ２５により観察できるようになっている。なお、第２の表示部材４２は集光レンズ４１を経てビームスプリッタ４０に入射されるように構成されている。さらに、ペンタプリズム２３と、ビームスプリッタ４０と接眼レンズ２５の後方にアイポイントＥＰが設けられる。
【００１５】
対物レンズ１１は、被写体像を撮像素子１３上もしくは焦点板２１（観察面２１）上に結像する。ミラー１２は、対物レンズ１１を通る光軸に対して４５度の角度で挿入されており、通常時（撮影待機状態）には、対物レンズ１１を通った被写体（図示せず）からの光を反射して焦点板２１（観察面２１）上に結像させ、シャッターレリーズ時にはミラーアップ状態となって跳ね上がり、対物レンズ１１を通った被写体（図示せず）からの光が撮像素子１３上に結像するようになっている。すなわち、撮像素子１３と焦点板２１（観察面２１）とは、光学的に共役な位置に配設される。
【００１６】
ペンタプリズム２３は、対物レンズ１１によって結像された焦点板２１（観察面２１）上の被写体像（倒立像）からの光束は、入射面２３ａ、第１反射面２３ｂ、最終反射面２３ｃおよび射出面２３ｄを順に経て、前記被写体像を上下左右反転して正立像にする。その結果、ペンタプリズム２３は、観察者が被写体像を正立像として観察できるようにするとともに、観察光学系２０をコンパクトに構成できるようにしている。
【００１７】
図１は観察光学系の実施形態を示す図である。なお、図４に示した観察光学系を一眼レフカメラに適用した場合の実施形態と、図１に示す観察光学系の実施形態とを比較すると、図４の実施形態で使用されているペンタプリズムが図１の実施形態では使用されていない点と、図４の実施形態では対物レンズ１１により焦点板２１の焦点面に結像された像が接眼レンズ２５によって観察像として観察されるが、図１の実施形態では観察面２１に形成された観察像２７を接眼レンズ２５により観察される点が異なる。
【００１８】
そして、図１の実施形態では観察面２１の近傍（図４に示す実施形態では焦点板２１とペンタプリズム２３との間）に、第１の表示部材３０が配設される。第１の表示部材３０は、具体的には透過型液晶素子などを用いるのが有効である。電圧により液晶の配置方向を変更して、設定した選択範囲を透過する観察視野の光束を拡散して遮光することにより表示をする。遮光するため、表示は観察視野上に黒色形状で観察される。また、遮光した形状を表示するため、第１の表示部材３０は観察面２１の近傍に配置することが望ましい。接眼光軸上での第１の表示部材と観察面２１の間隔は望ましくは接眼レンズ２５の焦点距離の０〜１０％程度に配置することが望ましい。その上限を超えると観察視野像上での第１の表示部材の表示形状の認識が困難になり、表示の形状が見え難くなり好ましくない。
【００１９】
そして、第２の表示部材４２は観察面２１と接眼レンズ２５の間にビームスプリッタ４０を配置し、１枚の集光レンズ４１を介して、第２の表示部材４２の像を観察視野像に重ねて表示する。第２の表示部材４２の像は表示形状を発光させることにより表示を行うものである。具体的には表示パターンのマスク形状をＬＥＤ等で照明して表示形状の第２の表示部材４２の像を形成したり、ＥＬデバイスなどを用いて表示形状自体を発光させて表示形状の第２の表示部材４２の像を構成することもできる。さらに本実施形態において、第２の表示部材４２の像の表示寸法は第１の表示部材３０の像の表示寸法の１／４以下に集光レンズ４１を用いて縮小することが望ましい。縮小することにより第２の表示部材４２を含む光学系を小型にすることが可能になる。
【００２０】
ただし、第２の表示部材４２の像の表示寸法を１／５より小さくすると表示の輝度を強くしないと視認性が低下するため望ましくない。そして、集光レンズ４１も第２の表示部材４２による像を大きくするために拡大率を大きくする必要が生じる。そのため集光レンズ４１を複数のレンズで構成しないと収差が補正できなくなり表示の見えが悪くなる。また、集光レンズ４１が複数のレンズで構成されると表示光学系の大型化を招き好ましくない。さらに本実施形態では、ビームスプリッタ４０は接眼レンズ２５に近い位置に配置することが望ましい。このように配置することにより観察視野光束が接眼レンズ２５によりアイポイントＥＰに収束するため、導入するビームスプリッタ４０の大きさを小さくすることができる。さらに接眼レンズ２５の内部や接眼レンズ２５とアイポイントＥＰの間に配置しても、同様の効果を得ることができる。
【００２１】
さらに本実施形態に用いるビームスプリッタ４０は表示するＬＥＤ等の照明光に合わせて特定の波長のみ反射するものを用いることが出来る。表示ＬＥＤの波長を６５０〜７００ｎｍ程度の波長を用いて、ビームスプリッタ４０の反射波長域をそれに対応するようにして、視感度を含む観察像からの４００〜６５０ｎｍの波長は透過するように構成すると観察光学系内にビームスプリッタ４０を配置しても視野像の色再現性を良好に保つことができる。よって、第２の表示部材４２の像を表示している場合と、非表示時としている場合とで観察像の視野像の色調が変化することなく観察ができる。
【００２２】
そして、本実施形態の第１の表示部材３０と第２の表示部材４２は、図２に示すように観察視野上の選択範囲を表示する目的で用いる。どちらかの表示部材でａの選択範囲を表示させ、ｂの選択表示は前記選択範囲の表示近傍に他方の表示部材で選択表示を行う。２つの表示部材の特徴である遮光による表示と光像による表示の２種類の表示を用いて選択範囲を表示することにより、高い視認性を達成している。
【００２３】
さらに本実施形態では選択範囲等常時表示するものを第１の表示部材３０の像で表示して、選択等の比較的表示時間の短いものを第２の表示部材４２の像で表示することが望ましい。第１の表示部材３０の像は視野光束の遮光により表示するため、表示により目に到達する表示輝度が増えないため、観察し易くなり長時間表示に適する。そして、選択表示は第２の表示部材４２の像を投影することにより、観察視野に対して選択表示の明るさが明るくすることにより、選択表示の視認性を高めることができる。また、消費電流の観点からも第１の表示部材３０は第２の表示部材４２と比較して少ない電力で制御できるため、長時間表示には適している。
【００２４】
そして、このような構成を採用することにより、選択範囲の表示をしない場合、第１の表示部材３０と、第２の表示部材４２は、ともに観察光のみ透過させることができるため、第１と第２の表示部材によるが像が非表示となる状態では観察像のみを観察することが可能になる。
【００２５】
このような実施形態として図３Ａに示すように第１の表示部材３０の像によって、あらかじめ選択可能な複数の選択範囲をａとして表示し、観察者に選択可能な範囲の情報を示しておいて、どの選択範囲を選択したかは、図３Ｂにおいて、ｂとして示すように第２の表示部材４２による像を、第１の表示部材３０による像の近傍もしくは、第１の表示部材３０による像の表示形状に重なるように表示することにより、選択範囲の表示において高い視認性を得ることができる。
【００２６】
従来の観察光学系においては、１つの表示部材による像により表示を行っていたため、観察面近傍に刻線を設ける表示手段では任意の表示範囲を事前に表示することは困難だった。また、常時観察像上に刻線が見えるため、観察像が見づらい問題もあった。また、観察面近傍に透過型液晶等を配置して、拡散による遮光で前記表示例は実現可能だが、選択箇所を表示するには、選択範囲のみ点滅させ、選択範囲外の表示を消灯させるしかなかった。そのため、点滅表示や消灯は液晶部材では応答性が悪く、特に低温下では課題があった。
【００２７】
本実施形態では観察面２１を接眼レンズ２５で観察する光学系に適用することができる。特に本実施形態の観察光学系を、対物レンズで実像を形成して、それを接眼レンズで観察するカメラや双眼鏡、顕微鏡などの光学機器に本実施形態の観察光学系は有効である。
【００２８】
本実施形態によれば、観察面２１の近傍に配置される第１の表示部材３０と、第１の表示部材３０と接眼光学系２５の間にビームスプリッタ４０を配置し、ビームスプリッタを介して第２の表示部材４２を配置する構成を備えている。観察面２１から接眼光学系２５に観察光束を透過させるか、あるいは拡散・遮光させるかで非表示あるいは表示となる黒色の第１の表示部材３０による像が形成されることから、第１の表示部材３０による像が観察像にスーパーインポーズされて表示されていても、観察者は長時間に亘って観察像を観察することが可能となる。第１の表示部材３０は観察面２１の近傍に配置することで第１の表示部材３０による像は明瞭な形状で視認することが可能となる。第２の表示部材４２による像は、ビームスプリッタを介して観測像上にスーパーインポーズして投影される。また第２の表示部材４２による像の表示形状は、第１の表示部材３０による像の表示形状のよりも小さい表示形状で表示される。こうすることで第２の表示部材４２の光学系の小型化が実現される。第１の表示部材３０による長時間観察が可能な視認性が高い像と、第２の表示部材４２による像を第１の表示部材３０による像の近傍に表示することで、観察像の視認性を失わずに、視認性の高い２種類の像を、観察像にスーパーインポーズすることが可能となる。
【００２９】
観測視野上において、第２の表示部材４２により形成される像の表示形状を、第１の表示部材３０により表示される像の表示形状の１／４以下とする。第２の表示部材４２による像をビームスプリッタ４０に投影するための集光レンズ４１は複数枚のレンズにより大きな拡大率を得るようにする必要がなく、１枚で構成することが可能となり、第２の表示部材４２を表示するための光学系を小型に構成することが可能となる。
【００３０】
ビームスプリッタを接眼レンズ２５の近傍に配置することで、観測光束はビームスプリッタ４０を透過して接眼レンズ２５によりアイポイントＥＰに収束するが、ビームスプリッタ４０が接眼レンズ２５に近いことで、ビームスプリッタ４０は小型に構成できる。
【００３１】
第１の表示部材３０と、第２の表示部材４２による像の２種類の像を、観察像にスーパーインポーズして表示可能な構成となっているが、少なくとも一方はオートフォーカスエリアを表示するために用いることで、視認性が高い表示によりオートフォーカスエリアを表示することが可能となる。
【００３２】
第１の表示部材３０と、第２の表示部材４１による像の２種類の像を、観察像にスーパーインポーズして表示可能な構成となっているが、少なくとも一方は測光エリアを表示するために用いることで、視認性が高い表示により測光エリアを表示することが可能となる。
【００３３】
第１の表示部材３０と、第２の表示部材４２による像の２種類の像を、観察像にスーパーインポーズして表示可能な構成となっているが、少なくとも一方は人物認識を表示するために用いることで、視認性が高い表示により人物認識を表示することが可能となる。
【００３４】
この結果、本実施形態の観察光学系によれば、目に到達する表示輝度が増えないで第１の表示部材３０による像を観察像に重ねて表示することで、観察者が第１の表示部材３０による像を黒色形状で観察できる。より具体的には第１の表示部材３０による像を複数個設け、観察視野上に複数の像を黒色形状で表示する。例えば、図３Ａにおいて、第１の表示部材による像が複数個（図３Ａでは５個）形成されているが、これらは複数個の候補エリアを表示するために用い、第２の表示部材４２による像は発光性の像であることから、第１の表示部材３０による像により示された複数個の候補エリアの１つを選択したことを示す表示として用いることが可能となる。
【００３５】
例えば、観察視野の中でオートフォーカスしたいエリアを選択する場合は、以下のようになる。観察者は観察視野上に表示される複数個のオートフォーカスの候補エリアの中から、オートフォーカスしたいエリアが図３Ａに示された複数個のエリアにおいて中段の左側のエリアであるとする。観察者は図示されていない一眼レフカメラの操作部を操作して第２の表示部材４２による発光性の像を候補エリアの近傍に表示させる。第２の表示部材４２による像が好ましいオートフォーカスエリアの近傍に表示されたら、観察者は図示されていない一眼レフカメラの操作部を操作して、オートフォーカスの候補エリアの中から中段の左側のエリアをオートフォーカスエリアとして確定するように操作する。このように第１の表示部材３０による像は黒色形状であるため観察者にとって長時間観察しやすいことから、複数のオートフォーカスの候補エリアを表示するのに適する。第２の表示部材４２による発光性であり視認性が高い像が第１の表示部材３０による像の近傍に表示されることで、観察者が複数のオートフォーカスの候補エリアの中から１つを選択したことを確認することが容易となる。
【００３６】
なお、第１の表示部材３０による像を複数の測光エリアの候補エリアを示すために用いることも可能である。観察者は図示されていない一眼レフカメラの操作部を操作して第２の表示部材４２による発光性の像を候補エリアの近傍に表示させる。第２の表示部材４２による像が好ましい測光エリアの近傍に表示されたら、観察者は図示されていない一眼レフカメラの操作部を操作して、複数の測光エリアの候補エリアの中から１つのエリアを測光エリアとして確定するように操作する。このように第１表示部材３０は黒色形状であるため観察者にとって長時間観察しやすいことから、複数の測光エリアの候補エリアを表示し易い。第２の表示部材４２による発光性の視認性が高いい像が第１の表示部材３０による像の近傍に表示されることで、観察者にとって好ましい測光エリアを選択したことを確認することが容易となる。
【００３７】
なお、第１の表示部材３０による像を、観察視野内の複数人の人物認識を表示するための像として用いることも可能である。観察者は図示されていない一眼レフカメラの操作部を操作して第２の表示部材４２による発光性の像を候補人物の近傍に表示させる。第２の表示部材４２による像が好ましい人物の近傍に表示されたら、観察者は図示されていない一眼レフカメラの操作部を操作して、複数の人物認識の中から１人の人物を確定するように操作する。このように第１と第２の表示部材を用いることで観察者にとって最も好ましい人物にオートフォーカスを設定することも、最も好ましい人物に合わせて測光することも、あるいは最も好ましい人物の近傍を拡大して撮影するように一眼レフカメラを制御することも可能となる。
【００３８】
なお、第１の表示部材３０による像と、第２の表示部材４２による像とを異なる目的で用いることも可能である。オートフォーカスエリア、測光エリア、人物認識、等の異なる目的に第１と第２の表示部材による像を用いることも可能である。例えば第１の表示部材３０による像はオートフォーカスエリアを示すために用い、第２の表示部材４２による像は測光エリアを示すために用いることも可能である。この組み合わせ方は色々な組み合わせ方が考えられ、１つの組み合わせ方に限定されるものではない。
【００３９】
ここで、第１の表示部材３０による像はオートフォーカスエリアを示すために用い、第２の表示部材４２は測光エリアを示すために用いる場合に、第１の表示部材３０が示すオートフォーカスエリアの複数の候補エリアの中らかどのエリアを指定する方法は、例えば図示しない一眼レフカメラの操作部を操作することで複数の候補エリアが黒色形状で順次表示されるようにし、好ましいエリアが表示された時に操作部を操作することで候補エリアの１つを確定するように一眼レフカメラの操作部を構成することも可能である。同様に、第２の表示部材４２により複数の候補エリアを順次表示し、好ましいエリアが表示された時にそのエリアを測光エリアとして指定することも可能である。
【００４０】
また、第１の表示部材３０による像と第２の表示部材４２による像を、オートフォーカスと測光エリア以外に人物認識に用いる例を記載したが、観察像の特定のものを認識するために用いる場合は、人物認識のみに限定されない。観察視野内の中で動きのあるものの認識、あるいは静止物体の認識に用いることも可能である。あるいは顔の表情の認識、特定の動物の認識に用いることも可能である。さらには、特定の色認識に用いることも可能である。
【００４１】
例えば、観察視野内の中で顔の表情の認識に用いる場合、観察視野内の複数の認識された顔が第１の表示部材３０による像で表示され、第２の表示部材４２による像で笑っている顔を確定するように操作することで、図示していな一眼レフカメラの制御部は笑っている顔が認識されたと判断し、その後の連続して表示される観察視野の像の中で笑っている顔が表示される毎に、一眼レフカメラの図示しない制御機能により笑っている顔を含んで撮像されるように制御することも可能となる。このように第１の表示部材３０の像と第２の表示部材４２による像と２通りの表示部材による像が表示されることで、従来にないさまざまな方法、あるいはさまざまな制御をすることが可能となる。
【００４２】
特定の色認識に用いる例としては、観察視野内の複数のエリアが第１の表示部材３０による像により候補エリアが表示される。観察者は一眼レフカメラの図示されていない操作部を操作することで、第２の表示部材４２による像を複数の候補エリアのいずれかを選択する。選択されたエリアの色調を図示されていない制御機能が認識し、選択された色認識に基づいて観察像の色調を操作するよう制御することも可能となる。あるいは連続して撮像する場合に、選択された色認識に基づいて、選択された色と同じ色を持つ観察像が観察視野内に出現した場合に撮像をするというような制御をすることも可能である。
【００４３】
このように、本実施形態の観察光学系は第１の表示部材３０と第２の表示部材４２による２種類の表示を、観察像にスーパーインポーズすることが可能であり、第１の表示部材３０と第２の表示部材４２を観察像のさまざまな目的、あるいは用途の特性を示すための表示として用いることが可能であることから、本実施形態に示した観察光学系は、観察光学系単体として実施することも、一眼レフカメラのファインダーとして用いられる観察光学系に適用することも、広く実像光学系に用いられる観察光学系としても利用可能である。また、上述の実施形態は例に過ぎず、上述の構成や形状に限定されるものではなく、本願発明の範囲内において適宜修正、変更が可能である。
【符号の説明】
【００４４】
１ 一眼レフカメラ（光学機器）
２０  観察光学系
２１  焦点面、または観察面
２５  接眼レンズ
３０  第１の表示部材
４０  ビームスプリッタ
４１  集光レンズ
４２  第２の表示部材
ＥＰ  アイポイント
【図１】
2012068310.tif 000003
【図２】
2012068310.tif 000004
【図３】
2012068310.tif 000005
【図４】
2012068310.tif 000006